(57)【要約】【課題】生体情報を撮像機器に利用して、効率的に撮影者を識別することができる撮像システムを提供すること。【解決手段】撮影者の生体情報に基づいた撮影者情報を前記撮影者が撮影した映像と共に記録する撮像システムであって、前記撮像システムは、生体情報取得部を有し、前記生体情報取得部は、時間と共に変化する生体情報を取得する変化生体情報取得部と前記撮像システムを用いて撮影している間に変化しない生体情報を取得する固有生体情報取得部を有し、前記固有生体情報取得部によって取得した生体情報に基づいて撮影開始時もしくは終了時の撮影者情報を決定するとともに、前記変化生体情報取得部によって取得した変化生体情報に基づいて撮影中の撮影者情報を決定することを特徴とする。【選択図】図１
2018191194.tif 000002
【特許請求の範囲】
【請求項１】
撮影者の生体情報に基づいた撮影者情報を前記撮影者が撮影した映像と共に記録する撮像システムであって、
前記撮像システムは、生体情報取得部を有し、
前記生体情報取得部は、
時間と共に変化する生体情報を取得する変化生体情報取得部と、
前記撮像システムを用いて撮影している間に変化しない生体情報を取得する固有生体情報取得部を有し、
前記固有生体情報取得部によって取得した生体情報に基づいて撮影開始時もしくは終了時の撮影者情報を決定するとともに、前記変化生体情報取得部によって取得した変化生体情報に基づいて撮影中の撮影者情報を決定することを特徴とする撮像システム。
【請求項２】
前記生体情報取得部には変化生体情報監視部を有し、時間ごとに変化する変化生体情報に基づいて変化情報を検出することを特徴とする請求項１に記載の撮像システム。
【請求項３】
前記撮影者情報は、撮影した動画ファイル内に前記撮影者情報の一部もしくは全部を書き込むことを特徴とする請求項１又は請求項２に記載の撮像システム。
【請求項４】
前記撮像システムは、前記撮影者情報が含まれたデータベースに通信する手段を有し、取得した生体情報によって前記データベース上に存在しない撮影者であることを判断した場合は、取得した生体情報に基づいて撮影者情報を登録するように促すことを特徴とする請求項１乃至請求項３の何れか一項に記載の撮像システム。
【請求項５】
前記変化生体情報に基づいて撮影中の撮影者情報が一定の変化を示した場合は変化を検出した時間が含まれた「ユーザー変化警告情報」を動画ファイル中に書き込むことを特徴とする請求項１乃至請求項４の何れか一項に記載の撮像システム。
【請求項６】
前記撮像システムは表示部を有し、撮影終了後の動画ファイル中に、前記ユーザー変化警告情報が含まれていた場合は、ユーザー登録を促す表示を表示部が行うことを特徴とする請求項５に記載の撮像システム。
【請求項７】
前記変化生体情報に基づいて撮影中の撮影者情報が一定の変化を示した場合は変化を検出した時間が含まれた「仮のユーザー情報」を動画ファイル中に書き込むことを特徴とする請求項１乃至請求項４の何れか一項に記載の撮像システム。
【請求項８】
前記撮像システムは表示部を有し、撮影終了後の動画ファイル中に、前記仮のユーザー情報が含まれていた場合は、ユーザー登録を促す表示を表示部が行うことを特徴とする請求項７に記載の撮像システム。
【請求項９】
前記生体情報取得部は前記固有生体情報と前記変化生体情報に基づいて撮影者情報を決定することを特徴とする請求項１乃至請求項８の何れか一項に記載の撮像システム。
【発明の詳細な説明】
【技術分野】
【０００１】
本発明は、生体情報を撮像機器に利用した撮像システムに関する。
【背景技術】
【０００２】
近年、指紋や虹彩などの人間の身体的な特徴である生体情報を用いて個人を認証し、ドアを解錠する等のハードウェア制御を行う技術が進歩してきた。またこのような生体情報を用いて、パスワード入力に代わる技術を利用した製品も徐々に市場に出始めている。そしてゲーム機器やメガネ型端末などのウェアラブル機器においては、視線や手を使ったジェスチャーで操作するデバイスも存在する。
【０００３】
特許文献１には、指紋を識別することにより事前に登録した本人が撮影したときに撮影者の名前をフィルムに記録する技術が開示されている。
【０００４】
また、特許文献２には、撮影時に生体情報を繰り返し取得し、生体情報の変動を記録して画像データの一部に関連付けて記録する技術が開示されている。
【先行技術文献】
【特許文献】
【０００５】
【特許文献１】特開平５−１２７２４６号公報
【特許文献２】特開２０１０−１９３０４７号公報
【発明の概要】
【発明が解決しようとする課題】
【０００６】
特許文献１には撮影時に指紋を識別し著作権情報を記録している。しかし、この技術を動画撮影に適用すると、ある瞬間ごとでしか撮影者を識別できない。また指紋を連続的に識別し続けるには、撮影者が指紋センサにずっと触れていなくてはならないため撮影者の負担が大きい。また加えてシステム負荷も大きいという課題があった。
【０００７】
また特許文献２は、撮影者の生体情報を繰り返し記録して前記撮影者の生体情報の変化を取得し画像データに関連付けて記録している。撮影者の生体情報が変化した時間付近には何か出来事が起こっている可能性が高い。このため、撮影した映像に関して映像内でハプニングなどが起きた時の画像を的確に抽出することができる。しかし、撮影者の複数の生体情報を利用して著作権情報を記録する技術については言及されていない。
【０００８】
そこで、本発明は、生体情報を撮像機器に利用して、効率的に撮影者を識別する撮像システムを提供することを目的とする。
【課題を解決するための手段】
【０００９】
上記の目的を達成するために、本発明に係る撮像システムは、
撮影者の生体情報に基づいた撮影者情報を前記撮影者が撮影した映像と共に記録する撮像システムであって、
前記撮像システムは、生体情報取得部を有し、
前記生体情報取得部は、
時間と共に変化する生体情報を取得する変化生体情報取得部と、
前記撮像システムを用いて撮影している間に変化しない生体情報を取得する固有生体情報取得部を有し、
前記固有生体情報取得部によって取得した生体情報に基づいて撮影開始時もしくは終了時の撮影者情報を決定するとともに、前記変化生体情報取得部によって取得した変化生体情報に基づいて撮影中の撮影者情報を決定することを特徴としている。
【００１０】
本発明の他の目的及び特徴は、以下の実施例において説明される。
【発明の効果】
【００１１】
本発明によれば、生体情報を撮像機器に利用して、効率的に撮影者を識別することができる撮像システムを提供できる。
【図面の簡単な説明】
【００１２】
【図１】実施例１における本発明の撮像システムの概略説明図である。
【図２】実施例１における本発明の撮像システムの概略説明図である。
【図３】実施例１における本発明の撮像システムの概略説明図である。
【図４】実施例２における本発明の撮像システムの概略説明図である。
【図５】実施例２における本発明の撮像システムの概略説明図である。
【図６】実施例３における本発明の撮像システムの概略説明図である。
【図７】実施例３における本発明の撮像システムの概略説明図である。
【発明を実施するための形態】
【００１３】
本発明の撮像システムは以下のような考えに基づいて発明されたものである。
【００１４】
従来、人間の生体情報を用いて個人を認証する様々なデバイスが市場に出回っている。例えば指紋や虹彩を撮影してデータベースと照合することでドアを開錠するものがある。また手のひらの静脈を撮影することで個人を認証してログインできるセキュリティシステムなどがある。これらはある１点の時間において個人を認証するシステムには良い。しかし、ある時間範囲において個人を認証し続ける場合には改善の余地があった。また、近年はスマートフォンに代表されるようなカメラ付きモバイル端末の普及により、動画を撮影することが容易となった。現在は撮影した動画ファイル中に撮影時刻やカメラの所有者情報を埋め込むことが可能であるが、所有者と撮影者が異なる場合も多い。しかし、動画の撮影開始から終了までの間において、撮影者を特定できるような個人認証機能付きのカメラはなかった。また将来的にも、いつ誰が撮影した動画であるか特定できることで著作権の保護ができる撮像システムは、消費者から望まれる可能性が高い。
【００１５】
本発明はこのような課題を解決するために考案されたものであり、動画の撮影開始から終了までの間、撮影者から取得した生体情報に基づいて撮影者を特定しつつ、撮影者が入れ替わることがないか監視することを目的としている。
【００１６】
ここでいう「生体情報」とは、短い時間によって変化することが少ない各人固有の生体情報と、時間によって変化する（主に波形によって表される）連続的な生体情報が含まれる。
【００１７】
前記「短い時間によって変化することが少ない各人固有の生体情報」とは、例えば、指紋、虹彩、網膜、手の静脈の形状、声紋、顔などが含まれる。これらは各人の成長など、長い時間間隔においては変化する可能性があるが、数分〜数日程度では変化しない（もしくは変化が少ない）生体情報である。
【００１８】
また前記「時間によって変化する（主に波形によって表される）連続的な生体情報」とは、例えば、脳波、心拍（脈拍）、血流、筋電位などが含まれ、撮影者の生命活動や動作に関連して時間とともに変化する生体情報である。
【００１９】
ここでは、前記「短い時間によって変化することが少ない各人固有の生体情報」を「固有生体情報」と呼び、前記「時間によって変化する（主に波形によって表される）連続的な生体情報」を「変化生体情報」と呼ぶ。
【実施例１】
【００２０】
図１を参照して本発明の撮像システム１００の概要を説明する。
【００２１】
図１は前記撮像装置１０１と前記生体情報取得部１０２を有する撮像システム１００の全体図である。
【００２２】
前記撮像装置１０１は結像光学系１１１を有している。結像光学系１１１で結像された像は、撮像素子１１２を介してＡ／Ｄコンバータ１１３でデジタル信号に変換される。該デジタル信号は画像処理装置１０３で所定の処理を施されて各部へ出力される。また生体情報取得部１０２には固有生体情報取得部１２１と変化生体情報取得部１２２、そして変化生体情報監視部１２３を有する。
【００２３】
前記生体情報取得部１０２は、少なくとも前記固有生体情報取得部１２１で取得した前記固有生体情報に基づいて撮影者を特定する。そして、前記画像処理部１０３で撮影した動画ファイル内に撮影者情報を付与する。また、前記変化生体情報取得部１２２で取得した変化生体情報に基づいて、前記変化生体情報監視部１２３は時間ごとに変化する生体情報について特定の変化が見られないか監視する（変化情報を検出するともいう）。これは動画撮影開始時から同じ人間が撮影しているか監視することに相当している。
【００２４】
システムコントローラ１０７は前記撮像装置１０１や生体情報取得部１０２などの各部材を制御する。システムコントローラ１０７からの信号によって、前記画像処理装置１０３を介して表示部１０６は表示のＯＮ／ＯＦＦ及び、表示画像の切換えや表示を行う。
【００２５】
前記システムコントローラ１０７からの指令によって撮影が実行される際は、光学系制御部１１４が前記結像光学系１１１の露出を調節し、撮影が実行される。この時、前記撮像素子１１２で取得された画像は、前述と同様の経路を辿って前記画像処理部１０３に入力され、所定の処理を施された後、半導体メモリなどの画像記録媒体１０５に所定のフォーマットで保存される。また同時に、状態検知部１１５から得られた撮影時の画像取得条件も記録される。また高速化のため、所望の設定を予め記憶部１０４に記憶し、前記画像記録媒体１０５を介さず撮影画像を前記表示部１０６で表示させてもよい。
【００２６】
また前記記憶部１０４にユーザー（もしくは撮影者ともいう）の生体情報やユーザー名などが含まれたユーザー情報（もしくは撮影者情報ともいう）をあらかじめ記憶させておいても良い。そして、撮影した動画ファイル内に前記ユーザー情報の一部もしくは全部を書き込んでも良い。もしくは不図示の通信装置によって前記撮像システム１００がネットワーク上の外部サーバーにアクセスし、前記外部サーバー内に有するデータベースを用いてユーザー情報の書き込みもしくは読み込みを行っても良い。
【００２７】
次に実際のユーザー（撮影者Ａ）が本実施例の撮像システムを使用した時の様子を図２に示す。このときの前記固有生体情報取得部１２１は指紋検出器とし、前記指紋検出器は動画撮影開始終了ボタン内に有している。そしてユーザー（もしくは撮影者ともいう）が前記動画撮影開始終了ボタンに触れる、もしくは半押しすることで前記指紋検出記が作動し、前記動画撮影開始終了ボタンに触れたユーザー（本実施例では撮影者Ａ）の指紋を検出する。ここで指紋検出器自体の技術については従来の技術が使用できるため、ここでの詳細説明は省略する。
【００２８】
さらに、前記変化生体情報取得部１２２は脳波検出器とし、前記撮影者Ａの頭部に脳波を検出するセンサが装着されている。前記脳波検出器と前記撮像システムは不図示の無線通信機を介して繋がっており、前記変化生体情報取得部１２２は脳波情報を得ている。このように図１には不図示であるが、撮像システム内に無線通信機を有していても良い。そうすれば、生体情報を取得する方法によっては前記生体情報取得部１０２が前記無線通信機を介して生体情報を捉えるセンサと通信し、生体情報を得る構成とすることができ便利である。そして、撮影中は前記変化生体情報取得部１２２が前記脳波情報をモニタリングする。具体的には脳波波形がある時間範囲内で不連続な変化、もしくはある閾値以上の変化が起きていないかを監視する。こうすることで撮影中に撮影者が入れ替わっていないか監視することができる。ここで脳波検出器自体の技術については従来の技術が使用できるためここでの詳細説明は省略する。
【００２９】
次に図３を用いて、本実施例における撮像システムの動画撮影開始から終了までのフローを説明する。
【００３０】
まず撮影者Ａが前記動画撮影開始終了ボタンを押した時に前記指紋検出器が撮影者の指紋情報を取得し、前記記憶部１０４に登録されているデータベース上のユーザー情報と照合する。データベースがネットワーク上の外部サーバーにある場合は、不図示の通信機を用いてアクセスしても良い（以降も同様）。もし登録されているユーザーであれば、撮影をスタートさせると共に、撮影している動画ファイル中に撮影者Ａについての前記ユーザー情報の一部もしくは全部を書き込み、撮影者Ａが撮影を開始したことをわかるようにする。もし登録されているユーザー情報に撮影者Ａの情報が無ければ、その場でユーザー登録を促すようにする。そこでユーザー登録を行った場合は撮影を開始し、撮影している動画ファイル中に撮影者Ａについての前記ユーザー情報の一部もしくは全部を書き込む。このようにして、撮影者Ａが撮影を開始したことをわかるようにする。ここでいうユーザー登録とはユーザー名、性別、生年月日などの個人情報を登録することである。個人情報の量は限定せず、ユーザー名だけでも良い。もしユーザー登録をしなければ撮影は中止し、処理が終了されて待機状態に戻る。
【００３１】
撮影中は前記脳波検出器からの脳波情報を前記変化生体情報監視部１２３が監視し、不連続な変化が起きていないかモニタリングする。「不連続な変化」とは、設定した任意の閾値を越えて脳波が大きく変化したかどうかのことである。もしくは複数の脳波波形を時間ごとに比較しある時刻を境にパターンが変化している箇所を検出しても良い。もしこのような変化を検出したら、前記変化を検出した時間などが含まれた「ユーザー変化警告情報」を動画ファイル中に書き込む。前記不連続な変化が起きる要因としては、例えば、前記脳波検出器を別の撮影者に付け替える場合が考えられる。もしくは前記脳波検出器を装着した撮影者Ａが無線通信範囲外に出て、別の脳波検出器を装着した他の撮影者が新たに現れる場合が考えられる。ここでは撮影中に脳波情報をモニタリングした例を示していたが、撮影前にユーザーが前記脳波検出器を装着した直後からモニタリングを開始していても良い。そうすれば前記動画撮影開始ボタンを押した時の撮影者の指紋情報と脳波情報を関連付けることができるため、更にユーザー情報データベースと照合する精度が上がるため好ましい。このように前記固有生体情報と前記変化生体情報に基づいて撮影者を特定しても良い。
【００３２】
次に動画撮影を終了するために撮影者Ａが前記動画撮影開始終了ボタンを押す。この時に、前記指紋検出器が撮影者Ａの指紋情報を再度取得し、前記記憶部１０４に登録されているデータベース上のユーザー情報と照合する。もし登録されているユーザーなら、撮影を終了させると共に、撮影した動画ファイル中に撮影者Ａについての前記ユーザー情報の一部もしくは全部を書き込む。このようにして撮影者Ａが撮影を終了させたことをわかるようにする。もし登録されているユーザー情報に撮影者の情報が無ければ、まずシステムコントローラ１０７は画像処理装置１０３を介して前記動画ファイル中に前記ユーザー変化警告情報が含まれているかどうか確認する。もし前記ユーザー変化警告情報が存在した場合は撮影開始時と撮影者が変わっている可能性があるため、その場でユーザー登録を促す。そこでユーザー登録を行った場合は撮影した動画ファイル中に撮影を終了させた撮影者についての前記ユーザー情報の一部もしくは全部を書き込み、撮影者Ａとは異なった撮影者が撮影を終了させたことをわかるようにする。または、そこでユーザー登録を行わなかった場合は、撮影者Ａとは異なった撮影者が撮影を終了したことをわかるようにするために、仮のユーザー情報（例えばユーザー名を「ＵＮＫＮＯＷＮ１」とするなど）を動画ファイル中に書き込む。こうすることで、撮影者Ａとは異なった撮影者が撮影を終了させたことをわかるようにする。
【００３３】
また、前記動画撮影開始終了ボタンを押した撮影者の指紋情報が、前記記憶部１０４に登録されているデータベース上のユーザー情報に無く、更に前記ユーザー変化警告情報が含まれていなかった場合はエラーとする。このとき、エラー情報（例えばＥＲＲＯＲ１などと記述する）を動画ファイル中に書き込み、動画撮影終了時に不明のトラブルが存在したことを記録する。
【００３４】
以上のような概略構成にすることで、従来の課題を解決したのが本発明である。
【実施例２】
【００３５】
図４を参照して本発明の撮像システム１００の概要を説明する。
【００３６】
実施例１と説明が重複する部分は省略する。本実施例でも図１に示したような概略構成は実施例１と同じである。
本実施例と前記実施例１との違いは、前記固有生体情報取得部１２１の検出器には、虹彩検出器を用い、前記変化生体情報取得部１２２の検出器には心拍（脈拍）波形検出器を用いた点である。そして、図４のフロー図に示すように、ユーザー情報がデータベースに存在しない時の処理方法も異なる。他の構成は実施例１と同様である。
【００３７】
本実施例の前記固有生体情報取得部１２１が検出する生体情報は撮影者の虹彩情報である。前記虹彩検出器は図５に示すように前記撮像システム１００が有するファインダーの中に有している。撮影者が前記ファインダーを覗くと撮像システム１００が有するレンズ越しの風景が見えるとともに、前記撮影者の虹彩情報を前記固有生体情報取得部１２１が取得する。ここで虹彩検出器自体の技術については従来の技術が使用できるためここでの詳細説明は省略する。
【００３８】
図４において、ファインダーを覗きながら動画撮影開始ボタンを押すと前記虹彩検出器で撮影者の虹彩情報を取得する。ここで前記ユーザー情報データベースにアクセスしてユーザー情報を照合する点は実施例１と同じである。本実施例では、撮影者が前記ユーザー情報について未登録であり、ユーザー情報の登録を促した際にユーザー登録を未実施のままにした後の処理が実施例１とは異なる。実施例１では撮影処理を中止し待機状態に戻ったが、本実施例では仮のユーザー情報（ＵＮＫＮＯＷＮ１などとする）を動画ファイルに書き込む。そうすることで動画撮影自体は実施できるため、急いでいる時でも利用可能である。また撮影前から、もしくは撮影開始後に前記変化生体情報取得部１２２が撮影者の心拍情報を取得する。
【００３９】
図５に示すように、前記心拍情報の取得方法は、心拍波形（もしくは脈拍波形）を検出するリストバンド型の心拍情報検出器を撮影者が装着する。ここで心拍情報検出器自体の技術については従来の技術が使用できるためここでの詳細説明は省略する。前記心拍情報検出器が検出した心拍情報は無線通信にて撮像システム１００に送信され、前記撮像システム１００上の前記変化生体情報監視部１２３が監視する。監視中に特定の変化が心拍情報に起きたら、撮影者が変わった可能性があるため、前記特定の変化が検出された時刻情報とともに仮のユーザー情報（ＵＮＫＮＯＷＮ２などとする）を動画ファイル中に書き込む。そして、撮影者が動画撮影終了ボタンを押した時に、前記固有生体情報取得部１２１は、最初と同様に撮影者の虹彩情報を取得する。ここでも実施例１と同様に前記ユーザー情報データベースにアクセスし、ユーザー情報と虹彩情報を照合する。ここで、ユーザー情報がデータベースに存在しなかった場合は、ユーザー登録を促すための表示を表示部１０６で行う。ここでユーザー登録が実施された場合はそのユーザー情報を動画ファイルに書き込み、撮影終了となる。しかし、ユーザー登録が未実施だった場合は、動画撮影開始時に取得した虹彩情報と同一のものか、前記固有生体情報取得部１２１が比較を行う。ここで動画撮影開始時に取得した虹彩情報と同一のものだった場合は、撮影開始時と終了時は同一の撮影者ということになり、仮のユーザー情報（ＵＮＫＮＯＷＮ１）を動画ファイル中に書き込む。もしここで動画撮影開始時に取得した虹彩情報とは異なる虹彩情報であった場合は、撮影開始時と終了時で撮影者が変わっている可能性があるため、仮のユーザー情報（ＵＮＫＮＯＷＮ３などとする）を動画ファイル中に書き込む。このようにして、撮影者が変わったことをわかるようにする。他は実施例１での処理と同じであるため、詳細は省略する。
【００４０】
ここでは前記固有生体情報を１つだけで扱ったが、実施例１の指紋検出器と本実施例の虹彩検出器とを両方用いるなど、複数の固有生体情報を用いても良い。例えばファインダーを覗いていない時は動画撮影開始終了ボタン内にある指紋検出器を用いてユーザー情報と照合し、ファインダーを覗いている時は虹彩情報を用いる、もしくは指紋と虹彩情報の両方を用いても良い。
【００４１】
また更に好ましくは撮影終了後の動画ファイル中に、前記仮のユーザー情報や実施例１で示したようなユーザー変化警告情報が含まれていた場合は、ユーザー登録を促す表示を表示部１０６が行うことが好ましい。こうすることで、撮影後に時間がたってしまい、撮影者が誰であったか忘れてしまうことを防ぐことができる。また、前記ユーザー情報や前記仮のユーザー情報を編集するときは、変更前後の履歴を前記撮像システム１００が残しておくことが好ましい。こうすることで、一時的な成りすましなどを後で確認できるため好ましい。前記変更履歴の残し方については、撮影したカメラでも良いし、ユーザー情報データベース上でも良いし、動画ファイル中に直接残しても構わない。
【００４２】
以上のような概略構成にすることで、従来の課題を解決したのが本発明である。
【実施例３】
【００４３】
図６を参照して本発明の撮像システム１００の概要を説明する。実施例１と説明が重複する部分は省略する。本実施例でも図１に示したような概略構成は実施例１と同じである。
【００４４】
本実施例と前記実施例１との違いは、前記固有生体情報取得部１２１の検出器には、声紋検出器を用い、前記変化生体情報取得部１２２の検出器には筋電位情報検出器を用いた点である。そして、図７のフロー図に示すように、生体情報の検出方法は異なるが、他の処理は実施例１と同じであるため詳細の説明は省略する。
【００４５】
図６に示すように本実施例の撮像システム１００には音声を入力するためのマイクが内蔵されており、前記固有生体情報取得部１２１に相当する。撮影者が前記マイクに向かって動画撮影開始の命令を言うことで、図１には不図示であるが、前記前記固有生体情報取得部１２１内に有する音声解析器にて撮影者の声紋情報を取得する。ここで動画撮影開始命令のための音声情報については撮影者が事前に任意に決めることができる。ここから先の処理については実施例１と同様であるため説明を省略する。また、前記変化生体情報としては撮影者の筋電位情報を用いる。筋電位といっても体には様々な筋肉があるが、本発明では時間とともに変化してユーザーが自然に動かし続けることができる筋肉が好ましい。例えばまぶたの筋肉の電位を監視してまばたきを検出する、もしくは横隔膜などの呼吸筋の筋電位を検出して呼吸の際の筋肉の動きを筋電位として検出するなどである。図６では呼吸筋の筋電位を検出する例を示した。こうすることで筋電位情報を検出することで時間的な変化（とくに個人で特有の生体情報）を取得することができる。このため、撮影者が入れ替わった場合は筋電位情報の波形が大きく異なるため、いつ入れ替わったかわかりやすいので好ましい。
【００４６】
また実施例１ではユーザー登録が未実施だった場合は仮のユーザー情報を動画ファイル中に書き込むとしたが、厳重に撮影者を管理するのであればユーザー登録を実施しないままでいると一定時間の後に動画ファイルが消去される設定があっても良い。そうすることで撮影者不明の動画を少なくすることができる。
【００４７】
以上のような概略構成にすることで、従来の課題を解決したのが本発明である。
【００４８】
以上、本発明の好ましい実施形態について説明したが、本発明はこれらの実施形態に限定されず、また、用途も各実施例の機器に限定されない。前記固有生体情報として静脈や網膜、もしくは顔認識などを用いても構わない。また、他の機器を用いた撮像システムとして使用しても構わない。その要旨の範囲内で種々の変形及び変更が可能である。
【符号の説明】
【００４９】
１００  撮像システム、１０１  撮像装置、１０２  生体情報取得部、
１２１  固有生体情報取得部、１２２  変化生体情報取得部、
１２３  変化生体情報監視部
【図１】
2018191194.tif 000003
【図２】
2018191194.tif 000004
【図３】
2018191194.tif 000005
【図４】
2018191194.tif 000006
【図５】
2018191194.tif 000007
【図６】
2018191194.tif 000008
【図７】
2018191194.tif 000009